(57)【要約】【課題】建物とタイルを貼り付けたテラスとの間の隙間を覆う化粧蓋に用いられ、タイルを貼り付けたテラスに対して美観を損なわないようにするとともに、化粧蓋を製作するのに熟練の技術を必要としない化粧蓋用フレームを提供する。【解決手段】化粧蓋用フレーム２０は、建物Ｂと、建物Ｂの外側で板状のタイルを貼り付けたテラスＴとの間に形成される隙間を覆う化粧蓋１０に用いられ、モルタル材３０を充填した上面にテラスに貼り付けられたタイルと同種の化粧蓋用タイル３１を貼り付けて隙間Ｇを覆う化粧蓋１０に用いられ、第１の側壁２１の高さをモルタル材３０を充填する高さとし、第２の側壁２２の高さを化粧蓋用タイル３１の下面と当接する高さ位置とした。【選択図】図７
2020186566.tif 000002
【特許請求の範囲】
【請求項１】
建物と、前記建物の外側で板状のタイルを貼り付けたテラスとの間に形成される隙間を覆う化粧蓋に用いられ、モルタル材を充填した上面に前記テラスに貼り付けられたタイルと同種の化粧蓋用タイルを貼り付けて前記隙間を覆う化粧蓋に用いられる化粧蓋用フレームであって、
前記化粧蓋用フレームは上面が開口した直方体形状をし、前記化粧蓋用フレームを構成する第１の側壁の高さを前記モルタル材を充填する高さとし、前記化粧蓋用フレームを構成する第２の側壁の高さを前記化粧蓋用タイルの下面と当接する高さ位置としたことを特徴とする建物とテラスとの間の隙間を覆う化粧蓋用フレーム。
【請求項２】
請求項１に記載の建物とテラスとの間の隙間を覆う化粧蓋用フレームにおいて、
前記化粧蓋用フレームの第１の側壁とこれに対向する側壁よりなる第１の側壁対の高さを前記モルタル材を充填する高さとしたことを特徴とする建物とテラスとの間の隙間を覆う化粧蓋用フレーム。
【請求項３】
請求項１または２に記載の建物とテラスとの間の隙間を覆う化粧蓋用フレームにおいて、
前記化粧蓋用フレームの第２の側壁とこれに対向する側壁よりなる第２の側壁対の高さを前記化粧蓋用タイルの下面と当接する高さ位置としたことを特徴とする建物とテラスとの間の隙間を覆う化粧蓋用フレーム。
【請求項４】
請求項１〜３の何れか１項に記載の建物とテラスとの間の隙間を覆う化粧蓋用フレームにおいて、
前記第１の側壁を前記建物と前記テラスとが互いに対向する各壁面に沿う方向で前記第２の側壁よりも長くなるように延出させたことを特徴とする建物とテラスとの間の隙間を覆う化粧蓋用フレーム。
【請求項５】
請求項１〜４の何れか１項に記載の建物とテラスとの間の隙間を覆う化粧蓋用フレームにおいて、
前記化粧蓋用フレームには前記第２の側壁とこれに対向する側壁との間に配置されて前記第２の側壁と同じ高さで前記タイルを支持する支持板を設けたことを特徴とする建物とテラスとの間の隙間を覆う化粧蓋用フレーム。
【発明の詳細な説明】
【技術分野】
【０００１】
本発明は、建物とテラスとの間の隙間を覆う化粧蓋に用いられる化粧蓋用フレームに関し、特に、建物と、建物の外側で板状のタイルを貼り付けたテラスとの間に形成される隙間を覆う化粧蓋に用いられる化粧蓋用フレームに関する。
【背景技術】
【０００２】
特許文献１には、建物とテラスとの間の隙間を覆うグレーチング支持部材の発明が開示されている。このグレーチング支持部材は、建物と建物の屋外に設置されるテラスとの間に設置するグレーチングを支持するものであり、テラスの基礎に取り付けられるベース部材と、ベース部材に取り付けられるとともに、テラスの基礎から建物に向かって張り出すように配されてグレーチングを受ける受け部とを備えている。このグレーチング支持部材は受け部によってグレーチングを支持することで、建物とテラスとの間の隙間はグレーチングによって塞がれるようになっている。
【先行技術文献】
【特許文献】
【０００３】
【特許文献１】特許第５７４６８２５号公報
【発明の概要】
【発明が解決しようとする課題】
【０００４】
建物の屋外に設置されるテラスにはコンクリートの基礎の上面にタイルを貼り付けたものがある。建物とタイルを貼り付けたテラスとの間の隙間に上述したグレーチングを設置したときには、グレーチングがテラスと一体感を持たないので、建物とタイルを貼り付けたテラスとの間の隙間にはグレーチングに代えてテラスに貼り付けたのと同種のタイルをフレーム内に嵌め込んで貼り付けた化粧蓋が用いられることがある。タイルをフレーム内に嵌め込んで貼り付けた化粧蓋は、図９に示したように、上面が開口した浅い箱形をした直方体形状のフレームの上下方向の中間部までモルタル材を充填し、充填したモルタル材の上面に接着剤を塗布してフレーム内に収まる大きさとしたタイルをモルタル材に貼り付ける。
【０００５】
図９に示したフレーム内にタイルを嵌め込むようにした化粧蓋では、タイルはフレームの側壁の上端と同じ高さでフレーム内に嵌め込まれているため、タイルの厚みを考慮してフレーム内にモルタル材を充填しなければならなく、フレームにモルタル材を適切な量で充填するのに十分な経験が必要であった。また、タイルはフレームに充填したモルタルの上面に塗布した接着剤によって貼着されているが、モルタルの上面に適切な量の接着剤を塗布しないと、タイルがフレームの側壁の上端と同じ高さとならなかったり、タイルがフレームの側壁の間からはみ出る接着剤によって汚れるおそれがあった。また、タイルをフレーム内に嵌め込むときには、フレームの水平方向の四方の側壁とタイルの水平方向の四方の辺部との間の隙間よりなる目地の間隔を均一とするのに十分な技術を必要としていた。さらに、この化粧蓋を建物とタイルを貼り付けたテラスとの間の隙間を覆うように設置したときに、この化粧蓋はフレームの側壁上面と、フレームの側壁とタイルとの間の接着剤による目地とが露出しているので、テラスのタイルと比してフレームの側壁上面と目地が目立つようになり、美観を損ねることになっていた。本発明は、建物とタイルを貼り付けたテラスとの間の隙間を覆う化粧蓋に用いられ、タイルを貼り付けたテラスに対して美観を損なわないようにするとともに、化粧蓋を製作するのに熟練の技術を必要としない化粧蓋用フレームを提供することを目的とする。
【課題を解決するための手段】
【０００６】
本発明は上記課題を解決するため、建物と、建物の外側で板状のタイルを貼り付けたテラスとの間に形成される隙間を覆う化粧蓋に用いられ、モルタル材を充填した上面にテラスに貼り付けられたタイルと同種の化粧蓋用タイルを貼り付けて隙間を覆う化粧蓋に用いられる化粧蓋用フレームであって、化粧蓋用フレームは上面が開口した直方体形状をし、化粧蓋用フレームを構成する第１の側壁の高さをモルタル材を充填する高さとし、化粧蓋用フレームを構成する第２の側壁の高さを化粧蓋用タイルの下面と当接する高さ位置としたことを特徴とする建物とテラスとの間の隙間を覆う化粧蓋用フレームを提供するものである。
【０００７】
上記のように構成した建物とテラスとの間の隙間を覆う化粧蓋に用いられる化粧蓋用フレームは、上面が開口した直方体形状をし、化粧蓋用フレームを構成する第１の側壁の高さをモルタル材を充填する高さとし、化粧蓋用フレームを構成する第２の側壁の高さを化粧蓋用タイルの下面と当接する高さ位置としたので、化粧蓋用フレーム内に充填するモルタル材の高さを第１の側壁の高さに合わせるだけで、化粧蓋用フレームにモルタル材を適切な量で充填することができるようになるだけでなく、化粧蓋用フレームの第２の側壁に化粧蓋用タイルの下面を当接させた状態で化粧蓋用タイルをモルタル材の上側に貼り付けることで、化粧蓋用タイルの高さを適切な高さ位置で位置決めすることができるようになる。
【０００８】
上記のように構成した建物とテラスとの間の隙間を覆う化粧蓋用フレームにおいては、化粧蓋用フレームの第１の側壁とこれに対向する側壁よりなる第１の側壁対の高さをモルタル材を充填する高さとするのが好ましい。このようにしたときには、鏝等の道具を第１の側壁とこれに対向する側壁との両方の上端に沿って移動させることで、化粧蓋用フレームに充填されるモルタル材を平坦にきれいに均すことができる。
【０００９】
上記のように構成した建物とテラスとの間の隙間を覆う化粧蓋用フレームにおいては、化粧蓋用フレームの第２の側壁とこれに対向する側壁よりなる第２の側壁対の高さを化粧蓋用タイルの下面と当接する高さ位置とするのが好ましい。このようにしたときには、化粧蓋用タイルを第２の側壁とこれに対向する側壁の両方で高さを位置決めすることができ、化粧蓋用タイルの高さを水平方向の２箇所で適切な高さ位置で合わせることができるようになる。
【００１０】
上記のように構成した建物とテラスとの間の隙間を覆う化粧蓋用フレームにおいては、第１の側壁を建物とテラスとが互いに対向する各壁面に沿う方向で第２の側壁よりも長くなるように延出させるのが好ましい。このようにしたときには、鏝等の道具を第２の側壁よりも長くなるように延出した第１の側壁に沿って移動させやすくなり、化粧蓋用フレームに充填されるモルタル材を平坦にきれいに均しやすくすることができる。
【００１１】
上記のように構成した建物とテラスとの間の隙間を覆う化粧蓋用フレームにおいては、化粧蓋用フレームには第２の側壁とこれに対向する側壁との間に配置されて第２の側壁と同じ高さでタイルを支持する支持板を設けるのが好ましい。このようにしたときには、化粧蓋用タイルの下面は第２の側壁だけでなく支持板に当接されて位置決めされるので、化粧蓋用タイルの高さ位置を第２の側壁と支持板とで適切な高さ位置で合わせることができるようになる。
【図面の簡単な説明】
【００１２】
【図１】本発明の化粧蓋用フレームを用いた化粧蓋を建物とテラスとの間の隙間に設けた概略斜視図である。
【図２】図１の化粧蓋の長手方向と直交する方向の縦方向断面図である。
【図３】化粧蓋を支持ブラケットに支持させた状態の斜視図である。
【図４】化粧蓋用フレームの斜視図である。
【図５】化粧蓋用フレームのＡ−Ａ線に沿った一部省略縦方向断面図（ａ）、Ｂ−Ｂ線に沿った縦方向断面図である。
【図６】化粧蓋用フレームにモルタルを充填した状態の図５に相当する縦方向断面図である。
【図７】化粧蓋用フレームに充填したモルタルの上面にタイルを貼り付けた状態の図５に相当する縦方向断面図である。
【図８】化粧蓋用フレームに支持板を設けた変形例の図７（ａ）に相当する一部省略縦方向断面図である。
【図９】従来の化粧蓋の一部省略平面図（ａ）、長手方向に沿った一部省略縦方向断面図（ｂ）及び長手方向と直交する方向の縦方向断面図（ｃ）である。
【発明を実施するための形態】
【００１３】
以下に、本発明の化粧蓋用フレームの一実施形態を化粧蓋の実施形態によって図面を参照して説明する。図１及び図２に示したように、建物Ｂと、建物Ｂの外側で板状のタイルを貼り付けたテラスＴとの間には、建物ＢとテラスＴが互いに対向する壁面に沿う方向を長手方向として延びる隙間Ｇが形成されており、本発明の化粧蓋用フレームを用いた化粧蓋１０は、建物Ｂと、建物Ｂの外側で板状のタイルを貼り付けたテラスＴとの間のこの隙間Ｇを覆うものである。
【００１４】
図１及び図２に示したように、化粧蓋１０は、上面が開口した直方体形状をした化粧蓋用フレーム２０内に充填されたモルタル材３０の上面にテラスＴに貼り付けたタイルと同種の化粧蓋用タイル３１を貼り付けて建物ＢとテラスＴとの間の隙間Ｇを覆うものである。図２に示したように、化粧蓋１０は、テラスＴの基礎に固定され、隙間Ｇに延出する支持ブラケットＴ１に着脱可能に支持されている。図２及び図３に示したように、支持ブラケットＴ１はテラスＴの基礎に固定される固定部Ｔ１ａと、固定部Ｔ１ａから隙間Ｇに延出して化粧蓋１０を支持する支持部Ｔ１ｂとを備えている。支持部Ｔ１ｂのテラスＴの基礎側には上側に突出する突部Ｔ１ｃが設けられており、突部Ｔ１ｃは化粧蓋１０とテラスＴとの間隔をテラスＴに貼り付けられたタイルの目地と同じ間隔なるようにして、化粧蓋１０をテラスＴのタイルと一体的に配置させるスペーサの機能を有している。図２及び図３に示したように、化粧蓋１０は、建物ＢとテラスＴとの間の隙間Ｇに沿う方向を長手方向とした略直方体形状としたものである。化粧蓋１０は、上面が開口する直方体形状をした化粧蓋用フレーム２０を備え、化粧蓋用フレーム２０内に充填したモルタル材３０の上面に化粧蓋用タイル３１を貼り付けたものである。
【００１５】
図２及び図４に示したように、化粧蓋用フレーム２０は、建物ＢとテラスＴとの間にて隙間Ｇの長手方向を長手方向として延びる上面が開口した直方体形状をしている。化粧蓋用フレーム２０は、建物ＢとテラスＴとの互いに対向する各壁面に沿う方向に延びる一対の第１の側壁２１を備えている。図４、図５及び図６に示したように、第１の側壁２１の高さはモルタル材３０を充填する高さとなっており、化粧蓋用フレーム２０内にモルタル材３０を充填するときの高さを決めるための基準として用いられている。第１の側壁２１は建物ＢとテラスＴとの互いに対向する各壁面に沿う方向を長手方向として延びているので、鏝等のモルタル材３０を平坦に均す道具を第１の側壁２１の上端に沿って移動させることで、化粧蓋用フレーム２０にモルタル材３０を規定の量で充填させることができる。特にこの実施形態の化粧蓋用フレーム２０の一対の第１の側壁２１の両方の高さがモルタル材３０を充填する高さとなっているため、鏝等のモルタル材を平坦に均す道具を一対の第１の側壁２１の両方の上端に沿って移動させることで、化粧蓋用フレーム２０に充填されるモルタル材３０を平坦にきれいに均すことができる。
【００１６】
図４、図５及び図７に示したように、化粧蓋用フレーム２０は、建物ＢとテラスＴとの互いに対向する各壁面と水平方向に直交する方向に延びる一対の第２の側壁２２を備えている。第２の側壁２２の高さはモルタル材３０の上側に貼り付ける化粧蓋用タイル３１の下面と当接する高さとなっており、化粧蓋用フレーム２０内に充填したモルタル材３０の上側に化粧蓋用タイル３１を貼り付けるときの基準として用いられている。
【００１７】
図４に示したように、化粧蓋用フレーム２０内にはアンカーバー２３が設けられており、アンカーバー２３は一対の第１の側壁２１の間で一対の第１の側壁２１と平行に配置されている。アンカーバー２３の長手方向と直交する方向の断面形状はＴ字形をしており、化粧蓋用フレーム２０内に充填したモルタル材３０を化粧蓋用フレーム２０に固定する機能を有している。また、アンカーバー２３の高さも第１の側壁２１と同じ高さとなっており、化粧蓋用フレーム２０内にモルタル材３０を充填するときの高さを決めるための基準として用いられている。また、化粧蓋用フレーム２０内にはアンカーロッド２４が設けられており、アンカーロッド２４は一対の第２の側壁２２の間で一対の第２の側壁２２と平行に配置されている。アンカーロッド２４は化粧蓋用フレーム２０内に充填したモルタル材３０を化粧蓋用フレーム２０に固定する機能を有している。
【００１８】
図２、図６及び図７に示したように、化粧蓋用フレーム２０内にはモルタル材３０が充填されており、モルタル材３０は上述した第１の側壁２１の高さに平坦にならされている。モルタル材３０の上側には接着剤３２が塗布されており、接着剤３２によってモルタル材３０の上側に化粧蓋用タイル３１が接着されている。化粧蓋用タイル３１はテラスＴに貼り付けたタイルと同種のものが用いられ、化粧蓋用タイル３１は化粧蓋用フレーム２０の外径と同じ大きさに切断加工されている。化粧蓋用タイル３１の下面は第２の側壁２２の上端に当接されており、化粧蓋用タイル３１は第２の側壁２２によって高さ方向に位置決めされている。
【００１９】
化粧蓋用フレーム２０を用いて化粧蓋１０を作成するときには、先ず、図５に示した状態の化粧蓋用フレーム２０内に適当量のモルタル材３０を充填する。鏝等の道具を一対の第１の側壁２１の上端に沿って移動させることで、図６に示したように、化粧蓋用フレーム２０に適切な量のモルタル材３０が充填されることになる。化粧蓋用フレーム２０内に充填したモルタル材３０を乾燥させて固化させた後で、固化させたモルタル材３０の上面に適当量の接着剤３２を塗布し、化粧蓋用フレーム２０の外径と同じ大きさに切断加工した化粧蓋用タイル３１を接着剤３２を塗布したモルタル材３０の上側に置く。化粧蓋用タイル３１をモルタル材３０の上側で下側に押し当てると、図７に示したように、化粧蓋用タイル３１の下面が第２の側壁２２の上端に当接して、化粧蓋用タイル３１が化粧蓋用フレーム２０に対して高さ方向に位置決めされる。また、化粧蓋用タイル３１をモルタル材３０に押し当てたときに、過剰に塗布された接着剤３２は化粧蓋用タイル３１とモルタル材３０との間からはみ出ることになるが、はみ出た接着剤は化粧蓋用タイル３１の斜め下側ではみ出ることになるので、化粧蓋用タイル３１ははみ出た接着剤によって汚れないようになっている。
【００２０】
上記のように構成した建物ＢとテラスＴとの間の隙間Ｇを覆う化粧蓋１０に用いられる化粧蓋用フレーム２０は、上面が開口した直方体形状をし、化粧蓋用フレーム２０を構成する第１の側壁２１の高さをモルタル材３０を充填する高さとし、化粧蓋用フレーム２０を構成する第２の側壁２２の高さを化粧蓋用タイル３１の下面と当接する高さ位置とした。これによって、化粧蓋用フレーム２０内に充填するモルタル材３０の高さを第１の側壁２１の高さに合わせるだけで、化粧蓋用フレーム２０にモルタル材３０を適切な量で充填することができるようになるだけでなく、化粧蓋用フレーム２０の第２の側壁２２に当接するように化粧蓋用タイル３１を貼り付けることで、化粧蓋用タイル３１の高さを適切な高さ位置で合わせることができるようになる。なお、この実施形態では化粧蓋用フレーム２０の第１の側壁２１とこれに対向する側壁とを同じ高さとしているが、本発明はこれに限られるものでなく、対向する側壁の高さを第１の側壁２１の高さと異なる高さとしたものであっても同様の作用効果を得ることができる。また、この実施形態では化粧蓋用フレーム２０の第２の側壁２２とこれに対向する側壁とを同じ高さとしているが、本発明はこれに限られるものでなく、対向する側壁の高さを第２の側壁２２の高さと異なる高さとしたものであっても同様の作用効果を得ることができる。
【００２１】
また、化粧蓋用フレーム２０の第１の側壁２１に対向する側壁２１の高さをモルタル材３０を充填する高さとしており、第１の側壁２１とこれに対向する側壁２１よりなる第１の側壁対２１，２１の高さをモルタル材３０を充填する高さとしている。これによって、鏝等の道具を第１の側壁２１とこれに対向する側壁２１との両方の上端に沿って移動させることで、化粧蓋用フレーム２０に充填されるモルタル材３０を平坦にきれいに均すことができる。
【００２２】
また、化粧蓋用フレーム２０の第２の側壁２２とこれに対向する側壁２２の高さを化粧蓋用タイル３１の下面と当接する高さ位置としており、化粧蓋用フレーム２０の第２の側壁２２とこれに対向する側壁２２よりなる第２の側壁対２２，２２の高さを化粧蓋用タイル３１の下面と当接する高さ位置となっている。これによって、化粧蓋用タイル３１を第２の側壁２２とこれに対向する側壁２２の両方で高さを位置決めすることができ、化粧蓋用タイル３１の高さを水平方向の２箇所で適切な高さ位置で合わせることができるようになる。
【００２３】
また、化粧蓋用フレーム２０の第１の側壁２１は建物ＢとテラスＴとが互いに対向する各壁面に沿う方向で第２の側壁２２よりも長くなるように延出させている。これによって、鏝等の道具を第２の側壁２２よりも長くなるように延出した第１の側壁２１に沿って移動させやすくなり、化粧蓋用フレーム２０に充填されるモルタル材を平坦に均しやすくすることができる。
【００２４】
次に、化粧蓋１０の変形例について説明する。図８に示したように、化粧蓋１０の変形例においては、化粧蓋用フレーム２０には第２の側壁２２とこれに対向する側壁２２の間に配置されて第２の側壁２２と同じ高さで化粧蓋用タイル３１を支持する支持板２５が設けられている。支持板２５は第２の側壁２２とこれに対向する側壁２２に平行に配置されている。この変形例の化粧蓋１０では、化粧蓋用タイル３１の下面は第２の側壁２２だけでなく支持板２５に当接されて位置決めされるので、化粧蓋用タイル３１の高さ位置を第２の側壁２２と支持板２５との２箇所で適切な高さ位置で合わせることができるようになる。
【００２５】
この実施形態の化粧蓋用フレーム２０は、第１の側壁２１の高さにモルタル材３０を充填し、充填したモルタル材３０の上側に接着剤３２を塗布するようにしたが、これに限られるものでなく、第２の側壁２２の高さまたはこれよりも高い位置までモルタル材３０を充填し、充填した固化する前のモルタル材３０を接着剤として用いて化粧蓋用タイル３１を第２の側壁２２に当接させることで、化粧蓋用タイル３１の高さを適切な高さ位置で位置決めすることができるようになる。
【符号の説明】
【００２６】
１０…化粧蓋、２０…化粧蓋用フレーム、２１…第１の側壁、２２…第２の側壁、２５…支持板、３０…モルタル材、３１…化粧蓋用タイル。
【図１】
2020186566.tif 000003
【図２】
2020186566.tif 000004
【図３】
2020186566.tif 000005
【図４】
2020186566.tif 000006
【図５】
2020186566.tif 000007
【図６】
2020186566.tif 000008
【図７】
2020186566.tif 000009
【図８】
2020186566.tif 000010
【図９】
2020186566.tif 000011